(57)【要約】【課題】起床時の居室の快適性、及び省エネルギー性を向上しうる。【解決手段】建物２の室内の温度を制御する室内温度制御システムであって、居室温度検知手段２６と、屋外温度検知手段２９と、暖房装置１６と、制御手段３０とを有する。制御手段３０は、制御部３０ａを有し、該制御部３０ａは、居室３の温度を制御する居室温度制御工程Ｓ５を行う。居室温度制御工程Ｓ５は、起床時刻の居室の温度Ｔ１を予測する工程Ｓ５１と、設定温度Ｐ１と予測された起床時刻の居室の温度Ｔ１との差（Ｐ１−Ｔ１）に基づいて、床暖房装置１８の起動時刻Ｍ１を設定する工程Ｓ５３と、起動時刻Ｍ１に、床暖房装置１８を起動する工程Ｓ５５とを含む。【選択図】図３
2013204985.tif 000002
【特許請求の範囲】
【請求項１】
建物の室内の温度を制御する室内温度制御システムであって、
前記建物内の居室の温度を検知する居室温度検知手段と、
屋外の温度を検知する屋外温度検知手段と、
前記居室の温度を上昇させる暖房装置と、
制御手段とを有し、
前記暖房装置は、前記居室の床に敷設される床暖房装置を含み、
前記制御手段は、前記暖房装置をコントロールする制御部と、
使用者の起床時刻を記憶する起床時刻記憶部と、
前記居室の温度を時間刻みで記憶する居室温度記憶部と、
前記屋外の温度を時間刻みで記憶する屋外温度記憶部とを有し、
前記制御部は、前記居室の温度を制御する居室温度制御工程を行い、
前記居室温度制御工程は、前記居室温度記憶部に記憶された前記居室の温度Ｔ１と、前記起床時刻までの時間とに基づいて、前記起床時刻の居室の温度Ｔ１を予測する工程と、
前記予測された起床時刻の居室の温度Ｔ１が予め定めた設定温度Ｐ１よりも低い場合に、
前記起床時刻よりも前の時刻かつ予め定めた起床前時間帯域において、前記設定温度Ｐ１と前記予測された起床時刻の居室の温度Ｔ１との差（Ｐ１−Ｔ１）に基づいて、前記床暖房装置の起動時刻Ｍ１を設定する工程と、
前記床暖房装置の前記起動時刻Ｍ１に、前記床暖房装置を起動する工程とを含むことを特徴とする室内温度制御システム。
【請求項２】
前記暖房装置は、前記居室の温度を調節する空調装置をさらに含み、
前記居室温度制御工程は、前記予測された起床時刻の居室の温度Ｔ１が前記設定温度Ｐ１よりも低い場合に、前記起床前時間帯域において、前記設定温度Ｐ１と前記予測された起床時刻の居室の温度Ｔ１との差（Ｐ１−Ｔ１）に基づいて、前記空調装置の起動時刻Ｍ２を設定する工程と、
前記空調装置の前記起動時刻Ｍ２に、前記空調装置を起動する工程とをさらに含む請求項１に記載の室内温度制御システム。
【請求項３】
前記予測された起床時刻の温度Ｔ１は、前記起床時刻よりも前の少なくとも２つの時刻における前記居室の温度の変化から計算される請求項１又は２に記載の室内温度制御システム。
【請求項４】
前記建物の寝室の温度Ｔ３を検知する寝室温度検知手段と、
前記床暖房装置の床下の温度Ｔ４を検知する床下温度検知手段と、
前記床暖房装置の下方への放熱によって暖められた前記床下の空気を、前記寝室に供給する床下空気供給手段とをさらに含み、
前記制御部は、前記寝室の温度を制御する寝室温度制御工程をさらに行い、
前記寝室温度制御工程は、前記寝室の温度Ｔ３が予め定めた設定温度Ｐ３よりも低い場合、かつ前記床下の温度Ｔ４が予め定めた設定温度Ｐ４以上である場合に、前記床下空気供給手段を起動する工程を含む請求項１乃至３のいずれかに記載の室内温度制御システム。
【請求項５】
請求項１乃至４のいずれかに記載された前記室内温度制御システムが設置された建物。
【発明の詳細な説明】
【技術分野】
【０００１】
本発明は、起床時の居室の快適性、及び省エネルギー性を向上しうる室内温度制御システム及びそれを具えた建物に関する。
【背景技術】
【０００２】
例えば、冬季においては、起床前から暖房装置を起動させて、起床時の居室の快適性を向上させることが一般に行われている。しかしながら、従来では、使用者が予め設定した時間に、暖房装置を自動起動させるものであるため、日々変化する居室の温度に応じて暖房装置の起動時間を調節することが難しい。このため、従来では、暖房不足や過暖房によって、起床時の居室の快適性、及び省エネルギー性が低下しやすいという問題があった。関連する技術としては、次のものがある。
【先行技術文献】
【特許文献】
【０００３】
【特許文献１】特開２００５−４２９５８号公報
【発明の概要】
【発明が解決しようとする課題】
【０００４】
本発明は、以上のような実状に鑑み案出されたもので、設定温度Ｐ１と予測された起床時刻の居室の温度Ｔ１との差（Ｐ１−Ｔ１）に基づいて、床暖房装置の起動時刻Ｍ１を設定することを基本として、起床時の居室の快適性、及び省エネルギー性を向上しうる室内温度制御システム及びそれを具えた建物を提供することを主たる目的としている。
【課題を解決するための手段】
【０００５】
本発明のうち請求項１記載の発明は、建物の室内の温度を制御する室内温度制御システムであって、前記建物内の居室の温度を検知する居室温度検知手段と、屋外の温度を検知する屋外温度検知手段と、前記居室の温度を上昇させる暖房装置と、制御手段とを有し、前記暖房装置は、前記居室の床に敷設される床暖房装置を含み、前記制御手段は、前記暖房装置をコントロールする制御部と、使用者の起床時刻を記憶する起床時刻記憶部と、前記居室の温度を時間刻みで記憶する居室温度記憶部と、前記屋外の温度を時間刻みで記憶する屋外温度記憶部とを有し、前記制御部は、前記居室の温度を制御する居室温度制御工程を行い、前記居室温度制御工程は、前記居室温度記憶部に記憶された前記居室の温度Ｔ１と、前記起床時刻までの時間とに基づいて、前記起床時刻の居室の温度Ｔ１を予測する工程と、前記予測された起床時刻の居室の温度Ｔ１が予め定めた設定温度Ｐ１よりも低い場合に、前記起床時刻よりも前の時刻かつ予め定めた起床前時間帯域において、前記設定温度Ｐ１と前記予測された起床時刻の居室の温度Ｔ１との差（Ｐ１−Ｔ１）に基づいて、前記床暖房装置の起動時刻Ｍ１を設定する工程と、前記床暖房装置の前記起動時刻Ｍ１に、前記床暖房装置を起動する工程とを含むことを特徴とする。
【０００６】
また、請求項２記載の発明は、前記暖房装置は、前記居室の温度を調節する空調装置をさらに含み、前記居室温度制御工程は、前記予測された起床時刻の居室の温度Ｔ１が前記設定温度Ｐ１よりも低い場合に、前記起床前時間帯域において、前記設定温度Ｐ１と前記予測された起床時刻の居室の温度Ｔ１との差（Ｐ１−Ｔ１）に基づいて、前記空調装置の起動時刻Ｍ２を設定する工程と、前記空調装置の前記起動時刻Ｍ２に、前記空調装置を起動する工程とをさらに含む請求項１に記載の室内温度制御システムである。
【０００７】
また、請求項３記載の発明は、前記予測された起床時刻の温度Ｔ１は、前記起床時刻よりも前の少なくとも２つの時刻における前記居室の温度の変化から計算される請求項１又は２に記載の室内温度制御システムである。
【０００８】
また、請求項４記載の発明は、建物の寝室の温度Ｔ３を検知する寝室温度検知手段と、前記床暖房装置の床下の温度Ｔ４を検知する床下温度検知手段と、前記床暖房装置の下方への放熱によって暖められた前記床下の空気を、前記寝室に供給する床下空気供給手段とをさらに含み、前記制御部は、前記寝室の温度を制御する寝室温度制御工程をさらに行い、前記寝室温度制御工程は、前記寝室の温度Ｔ３が予め定めた設定温度Ｐ３よりも低い場合、かつ前記床下の温度Ｔ４が予め定めた設定温度Ｐ４以上である場合に、前記床下空気供給手段を起動する工程を含む請求項１乃至３のいずれかに記載の室内温度制御システムである。
【０００９】
また、請求項５記載の発明は、請求項１乃至４のいずれかに記載された前記室内温度制御システムが設置された建物である。
【発明の効果】
【００１０】
本発明は、建物の室内の温度を制御する室内温度制御システム及びそれを具えた建物である。本発明の室内温度制御システムは、建物内の居室の温度を検知する居室温度検知手段と、屋外の温度を検知する屋外温度検知手段と、居室の温度を上昇させる暖房装置と、制御手段とを有する。この暖房装置は、居室の床に敷設される床暖房装置を含む。
【００１１】
また、制御手段は、暖房装置をコントロールする制御部と、使用者の起床時刻を記憶する起床時刻記憶部と、居室の温度を時間刻みで記憶する居室温度記憶部と、屋外の温度を時間刻みで記憶する屋外温度記憶部とを有する。この制御部は、居室の温度を制御する居室温度制御工程を行う。
【００１２】
居室温度制御工程は、居室温度記憶部に記憶された居室の温度Ｔ１と、起床時刻までの時間とに基づいて、起床時刻の居室の温度Ｔ１を予測する工程と、予測された起床時刻の居室の温度Ｔ１が予め定めた設定温度Ｐ１よりも低い場合に、起床時刻よりも前の時刻かつ予め定めた起床前時間帯域において、設定温度Ｐ１と予測された起床時刻の居室の温度Ｔ１との差（Ｐ１−Ｔ１）に基づいて、床暖房装置の起動時刻Ｍ１を設定する工程と、床暖房装置の起動時刻Ｍ１に、床暖房装置を起動する工程とを含む。
【００１３】
このような室内温度制御システムは、前記差（Ｐ１−Ｔ１）に基づいて、床暖房装置の起動時刻Ｍ１が設定されるため、暖房不足や過暖房を抑制でき、起床時の居室の快適性、及び省エネルギー性を向上しうる。
【図面の簡単な説明】
【００１４】
【図１】室内温度制御システムが設置された建物を模式的に示す断面図である。
【図２】室内温度制御システムの一例を示すブロック図である。
【図３】室内温度制御システムの処理手順の一例を示すフローチャートである。
【図４】一日の各時間帯域を例示するタイムチャートである。
【図５】居室温度制御工程の処理手順の一例を示すフローチャートである。
【図６】起床時刻の居室の温度Ｔ１を予測する工程を説明するグラフである。
【図７】床暖房装置及び空調装置の各起動時刻を設定する工程の処理手順の一例を示すフローチャートである。
【図８】寝室温度制御工程の処理手順の一例を示すフローチャートである。
【図９】実施例の寝室等の温度変化を示すグラフである。
【発明を実施するための形態】
【００１５】
以下、本発明の実施の一形態が図面に基づき説明される。
図１には、本実施形態の室内温度制御システムが設置された建物２の模式的な断面図が示されている。本実施形態の建物２として、例えば、規格化された高断熱性能を有する住宅が例示されている。
【００１６】
本実施形態の建物２は、複数の居室を有し、例えば、一階に主たる居室３、及び二階に寝室４が設けられる。また、前記建物２は、該建物２の土台や壁等を支持する基礎５、該基礎５の上方で支持される１階の床６、該基礎５と前記床６との間で区画される床下空間７が設けられる。
【００１７】
前記基礎５は、例えば、地盤Ｇから小高さで突出して設けられた布基礎８からなる。この布基礎８で囲まれた床下空間７の地盤Ｇの上には、土間コンクリート９が敷設される。また、布基礎８は、床下空間７内に、外気１０を進入させる開口部１１が設けられる。
【００１８】
前記布基礎８には、その内側面８ｉの全域が、断熱材１２で覆われる。これにより、建物２には、床下空間７が断熱された基礎断熱構造が形成される。この断熱材１２としては、特に限定されないが、ポリスチレンフォーム等の樹脂材料が用いられるのが望ましい。
【００１９】
前記床下空間７には、前記断熱材１２が配されていない領域に、外気１０を地熱１４と熱交換させて予備加熱する地熱交換領域１５が形成される。この地熱交換領域１５は、建物２が基礎断熱構造を具えるため、屋外の気温に影響されることなく、前記外気１０を効率的かつ確実に予備加熱することができる。
【００２０】
本実施形態の室内温度制御システムは、居室３の温度を上昇させる暖房装置１６と、床下の空気を寝室４に供給する床下空気供給手段１７とを有する。本実施形態の暖房装置１６は、居室３の床６に敷設される床暖房装置１８と、居室３の温度を調節する空調装置１９とを含む。
【００２１】
前記床暖房装置１８は、例えば、温水が循環するヒートポンプ式であり、床６の内部に温水を通過させる床パイプ１８ａと、該温水を加熱する熱源１８ｂと、該熱源１８ｂで加熱された高温の行き温水を床パイプ１８ａに案内する行きパイプ１８ｃと、床６への放熱を終えて温度が低下した戻り温水を熱源１８ｂに案内する戻りパイプ１８ｄとを含む。
【００２２】
また、本実施形態では、床暖房装置１８の下方に、床６から距離を隔てて板状の断熱材からなる床下断熱部２１が設けられる。これにより、床下空間７には、床６と床下断熱部２１とで区分された加温空間２２が形成される。
【００２３】
このような床下断熱部２１は、床暖房装置１８の下側への放熱を逃がすことなく、加温空間２２の空気を効率的に暖めることができる。さらに、本実施形態では、加温空間２２に、前記地熱交換領域１５で予備加熱された空気が流入する。これにより、加温空間２２では、予備加熱された空気を暖めることができるため、該加温空間２２の空気の温度を、少ないエネルギーで早期に高めることができる。
【００２４】
前記空調装置１９には、例えば、家庭用のエアコンが用いられる。本実施形態の空調装置１９は、居室３の壁面に取り付けられ、該居室３内に温かい空気を供給することができる。
【００２５】
前記床下空気供給手段１７は、１階の外壁の内部を上下にのび、かつ加温空間２２と連通する第１空気流路１７ａ、寝室４の間仕切り壁の内部を上下にのび、かつ該寝室４で開口する第２空気流路１７ｂ、及び該第１空気流路１７ａと該第２空気流路１７ｂとを連通する連結部１７ｃ、及び加温空間２２で暖められた空気を寝室４内に送風するファン１７ｄを有する。
【００２６】
このような床下空気供給手段１７は、ファン１７ｄの送風により、加温空間２２内の空気を、第１空気流路１７ａ、連結部１７ｃ、及び第２空気流路１７ｂを介して、寝室４内に供給できる。これにより、床下空気供給手段１７は、床暖房装置１８の下方への排熱を利用して寝室４を暖めることができ、省エネルギー性に優れる。
【００２７】
図１及び図２に示されるように、本実施形態の室内温度制御システムは、居室３の温度Ｔ２を検知する居室温度検知手段２６と、寝室４の温度Ｔ３を検知する寝室温度検知手段２７と、床暖房装置１８の床下の温度Ｔ４を検知する床下温度検知手段２８と、屋外の温度Ｔ５を検知する屋外温度検知手段２９と、制御手段３０とを有する。
【００２８】
各温度検知手段２６〜２９には、例えば、温度センサーが用いられ、各温度検知手段２６〜２９の検知信号が、制御手段３０に入力される。
【００２９】
図１に示すように、前記居室温度検知手段２６、及び前記寝室温度検知手段２７は、例えば、各居室３、又は寝室４内の壁にそれぞれ配置される。また、床下温度検知手段２８は、加温空間２２側を向く床６の裏面に配置される。さらに、屋外温度検知手段２９は、例えば、建物２の外側に設けられ、好ましくは、日射の影響を受け難い北側に配置される。
【００３０】
図２に示すように、前記制御手段３０は、暖房装置１６をコントロールする制御部３０ａと、使用者の起床時刻Ｈ１を記憶する起床時刻記憶部３０ｂと、使用者の就寝時刻Ｈ２を記憶する就寝時刻記憶部３０ｃと、使用者が予め定めた居室の設定温度Ｐ１を記憶する居室設定温度記憶部３０ｄと、居室の温度Ｔ２を記憶する居室温度記憶部３０ｅと、寝室の温度Ｔ３を記憶する寝室温度記憶部３０ｆと、床下の温度Ｔ４を記憶する床下温度記憶部３０ｇと、屋外の温度Ｔ５を記憶する屋外温度記憶部３０ｈとを有する。
【００３１】
前記制御部３０ａは、例えば、ＣＰＵ、メモリ、及びＣＰＵの処理手順が記憶された不揮発性メモリやハードディスク等の記憶装置を用いて構成される。
【００３２】
前記各記憶部３０ｂ〜３０ｈは、制御部３０ａの記憶装置が利用される。さらに、起床時刻記憶部３０ｂ、就寝時刻記憶部３０ｃ、居室設定温度記憶部３０ｄは、制御手段３０に接続可能な入力手段３１によって、起床時刻Ｈ１、就寝時刻Ｈ２、及び設定温度Ｐ１等の必要な情報が入力される。入力手段３１としては、タッチパネルやキーボード等が好適であるが、例えば、パソコンや携帯端末も利用できる。
【００３３】
また、前記居室温度記憶部３０ｅ、及び寝室温度記憶部３０ｆは、制御部３０ａの指示により、居室温度検知手段２６、及び寝室温度検知手段２７の各信号から得た各居室の温度Ｔ２、及び寝室の温度Ｔ３を時間刻みで記憶する。さらに、床下温度記憶部３０ｇ及び屋外温度記憶部３０ｈも、床下温度検知手段２８、及び屋外温度検知手段２９の各信号から得た床下の温度Ｔ４、及び屋外温度Ｔ５を時間刻みで記憶する。
【００３４】
次に、上記のように構成された室内温度制御システムの処理手順が説明される。
図２及び図３に示されるように、制御部３０ａは、先ず、起床時刻記憶部３０ｂ、就寝時刻記憶部３０ｃ、及び居室設定温度記憶部３０ｄを参照して、使用者によって設定された起床時刻Ｈ１と、就寝時刻Ｈ２と、起床時刻における居室の設定温度Ｐ１とを、メモリ等に読み込む（工程Ｓ１）。
【００３５】
次に、制御部３０ａは、前記各記憶部３０ｅ〜３０ｈに記憶された居室の温度Ｔ２と、寝室の温度Ｔ３と、床下の温度Ｔ４と、屋外の温度Ｔ５とを、それぞれメモリ等に読み込む（工程Ｓ２）。
【００３６】
次に、制御部３０ａは、現在が、冬季か否かを判断する（工程Ｓ３）。本実施形態では、制御部３０ａが、メモリ等に読み込まれた屋外の温度Ｔ５を元に、屋外の日中の平均気温を算出し、該平均気温が１５℃未満の日が２日以上連続した場合に、冬季と判断している。なお、冬季か否かの判断は、上記のような方法に限定されるわけではなく、例えば、制御部３０ａが持っているカレンダー機能を使用して行われてもよく、種々の方法で行うことができる。
【００３７】
そして、制御部３０ａは、現在が冬季と判断した場合（工程Ｓ３で、Ｙ）に、現在の時刻Ｈ３を判断する（工程Ｓ４）。一方、制御部３０ａが冬季でないと判断した場合（工程Ｓ３で、Ｎ）、工程Ｓ１にループバックする。
【００３８】
次に、制御部３０ａは、現在の時刻Ｈ３を判断する（工程Ｓ４）。この工程Ｓ４では、図４に示されるように、現在の時刻Ｈ３が、起床時刻Ｈ１（本実施形態では、Ｈ１＝６時）直前の起床前時間帯域Ｕ１、起床時刻Ｈ１から就寝時刻Ｈ２（本実施形態では、Ｈ２＝２３時）までの起床後時間帯域Ｕ２、又は該起床前時間帯域Ｕ１と該起床後時間帯域Ｕ２との間の就寝時間帯域Ｕ３の何れに属するかを判断する。なお、起床時刻Ｈ１及び就寝時刻Ｈ２は、使用者等によって適宜変更することができる。
【００３９】
図３及び図４に示すように、制御部３０ａは、現在の時刻Ｈ３が、起床時刻Ｈ１よりもα時間（本実施形態では、α＝２）前の時刻（Ｈ１−α）から、起床時刻Ｈ１までの時間、即ち４〜６時である場合（工程Ｓ４で、（Ｈ１−α）≦Ｈ３＜Ｈ１）、前記起床前時間帯域Ｕ１であると判断する。この場合、制御部３０ａが、居室温度制御工程Ｓ５、及び寝室温度制御工程Ｓ６を順次行い、起床時刻Ｈ１に先立って居室３及び寝室４を暖房する。これにより、室内温度制御システムは、起床時の快適性を向上させることができる。なお、α時間は、使用者等によって適宜変更することができる。
【００４０】
また、制御部３０ａは、現在の時刻Ｈ３が、起床時刻Ｈ１から就寝時刻Ｈ２までの時間、即ち６〜２３時である場合（工程Ｓ４で、Ｈ１≦Ｈ３＜Ｈ２）、前記起床後時間帯域Ｕ２であると判断する。この場合、寝室４の暖房をする必要がないため、制御部３０ａは、床下空気供給手段１７を停止するとともに（工程Ｓ７）、床暖房装置１８、又は空調装置１９を運転させて、居室３を暖房する（工程８）。
【００４１】
さらに、現在の時刻Ｈ３が、就寝時刻Ｈ２から前記時刻（Ｈ１−α）までの時間、即ち２３〜４時である場合（工程Ｓ４で、Ｈ２≦Ｈ３＜（Ｈ１−α））、前記就寝時間帯域Ｕ３であると判断する。この場合、制御部３０ａは、床下空気供給手段１７、床暖房装置１８、及び空調装置１９を停止させて（工程９）、工程Ｓ１にループバックする。
【００４２】
このように、本実施形態では、制御部３０ａが、現在の時刻Ｈ３を判断して、床下空気供給手段１７、床暖房装置１８、及び空調装置１９の運転を適宜切り替えることにより、省エネルギー性を向上させている。
【００４３】
図５に示されるように、前記居室温度制御工程Ｓ５では、先ず、制御部３０ａが、起床時刻の居室の温度Ｔ１を予測する（工程Ｓ５１）。図６に示されるように、制御部３０ａは、暖房装置１６が起動されていない居室３の温度がリニアに小さくなると仮定して、居室温度記憶部３０ｅに記憶されていた居室の温度Ｔ２と、起床時刻Ｈ１までの時間とに基づいて、前記温度Ｔ１を予測している。
【００４４】
本実施形態では、起床時刻の居室の温度Ｔ１が、起床時刻Ｈ１よりも前の少なくとも２つ、本実施形態では２つの時刻における前記居室の温度の変化から計算される。制御部３０ａは、先ず、起床前時間帯域Ｕ１の前記時刻（Ｈ１−α）を基準として、該時刻（Ｈ１−α）における居室の温度Ｔ２ａと、該時刻（Ｈ１−α）から１時間前の時刻（Ｈ１−（α＋１））における居室の温度Ｔ２ｂとの差より、１時間当たりの居室の温度の低下度（Ｔ２ｂ−Ｔ２ａ）を求める。そして、制御部３０ａは、この低下度（Ｔ２ｂ−Ｔ２ａ）に、α時間（本実施形態では、α＝２）を乗じることにより、時刻（Ｈ１−α）から起床時刻Ｈ１までに低下すると予想される温度（Ｔ２ｂ−Ｔ２ａ）×αを求める。
【００４５】
さらに、制御部３０ａは、前記時刻（Ｈ１−α）における居室の温度Ｔ２ａから、前記低下温度（Ｔ２ｂ−Ｔ２ａ）×αを引くことにより、起床時刻の居室の温度Ｔ１を予測する。ただし、前記温度Ｔ１を予測する方法は、これに限定されるものではない。
【００４６】
次に、図５に示されるように、制御部３０ａは、予測された起床時刻の居室の温度Ｔ１が、予め定めた設定温度Ｐ１（本実施形態では、２５℃）よりも低いかを判断する（工程Ｓ５２）。この工程Ｓ５２では、前記温度Ｔ１が設定温度Ｐ１と同一、又はそれ以上である場合（工程Ｓ５２で、Ｔ１≧Ｐ１）、制御部３０ａは、居室３の温度が十分に高いと判断し、次の寝室温度制御工程Ｓ６（図３に示す）を行う。
【００４７】
一方、前記温度Ｔ１が予め定めた設定温度Ｐ１よりも低い場合（工程Ｓ５２で、Ｔ１＜Ｐ１）、床暖房装置の起動時刻Ｍ１、及び空調装置１９の起動時刻Ｍ２を設定する（工程Ｓ５３）。しかる後、各床暖房装置１８、及び空調装置１９を、各起動時刻Ｍ１、Ｍ２に起動する（工程Ｓ５５、Ｓ５６）。
【００４８】
図７に示されるように、前記起動時刻Ｍ１、Ｍ２を設定する工程Ｓ５３では、制御部３０ａが、前記差（Ｐ１−Ｔ１）を判断して（工程５３１）、各起動時刻Ｍ１、Ｍ２が設定される。
【００４９】
本実施形態では、制御部３０ａは、前記設定温度Ｐ１と、予測された起床時刻の居室の温度Ｔ１との差（Ｐ１−Ｔ１）がｔ１℃（本実施形態では、ｔ１＝１０．０℃）以上であると判断した場合（工程Ｓ５３１で、（Ｐ１−Ｔ１）≧ｔ１）、即ち、予測された起床時刻の居室の温度Ｔ１が、設定温度Ｐ１よりも大幅に低い場合に、床暖房装置１８の起動時刻Ｍ１を、起床時刻Ｈ１の２時間前に設定し（工程Ｓ５３２）、かつ空調装置１９の起動時刻Ｍ２を、起床時刻Ｈ１の１時間前に設定している（工程Ｓ５３３）。これにより、制御部３０ａは、床暖房装置１８及び空調装置１９を、起床前時間帯域Ｕ１（図４に示す）の早期から起動させて、居室３を確実に暖めることができる。
【００５０】
さらに、制御部３０ａは、前記差（Ｐ１−Ｔ１）が前記ｔ１℃未満、かつｔ２℃（本実施形態では、ｔ２＝７．５℃）以上であると判断した場合（工程Ｓ５３１で、ｔ２≦（Ｐ１−Ｔ１）＜ｔ１）、床暖房装置１８の起動時刻Ｍ１を、起床時刻Ｈ１の１．５時間前に設定し（工程Ｓ５３４）、かつ空調装置１９の起動時刻Ｍ２を、起床時刻Ｈ１の０．５時間前に設定している（工程Ｓ５３５）。このように、制御部３０ａは、床暖房装置１８、及び空調装置１９の各起動時刻Ｍ１、Ｍ２を、前記工程Ｓ５３２、Ｓ５３３よりも遅らせることにより、暖房の無駄を防いで、省エネルギー性を向上させることができる。
【００５１】
また、制御部３０ａは、前記差（Ｐ１−Ｔ１）が前記ｔ２℃未満、かつｔ３℃（本実施形態では、ｔ３＝５．０℃）以上であると判断した場合（工程Ｓ５３１で、ｔ３≦（Ｐ１−Ｔ１）＜ｔ２）、床暖房装置１８の起動時刻Ｍ１を、起床時刻Ｈ１の１．０時間前に設定し（工程Ｓ５３６）、かつ空調装置１９の起動時刻Ｍ２を、「起動なし」に設定している（工程Ｓ５３７）。
【００５２】
さらに、制御部３０ａは、前記差（Ｐ１−Ｔ１）が前記ｔ３℃未満、かつｔ４℃（本実施形態では、ｔ４＝２．５℃）以上と判断した場合（工程Ｓ５３１で、ｔ４≦（Ｐ１−Ｔ１）＜ｔ３）、床暖房装置１８の起動時刻Ｍ１を、起床時刻Ｈ１の０．５時間前に設定し（工程Ｓ５３８）、かつ空調装置１９の起動時刻Ｍ２を「起動なし」としている（工程Ｓ５３９）。
【００５３】
このように、制御部３０ａは、予測された起床時刻の居室の温度Ｔ１が比較的高いと判断した場合に、床暖房装置１８の起動を遅らせつつ、空調装置１９の運転を停止している。これにより、起床時刻Ｈ１における居室３の温度を設定温度Ｐ１まで高めつつ、省エネルギー性を向上させることができる。
【００５４】
さらに、制御部３０ａは、前記差（Ｐ１−Ｔ１）がｔ４℃未満かつ、ｔ５℃（本実施形態では、ｔ５＝０．０℃）以上、即ち前記温度Ｔ１が設定温度Ｐ１と略同一であると判断した場合（工程Ｓ５３１で、ｔ５≦（Ｐ１−Ｔ１）＜ｔ４）、床暖房装置１８及び空調装置１９の各起動時刻Ｍ１、Ｍ２を「設定なし」としている（工程Ｓ５４０、Ｓ５４１）。これにより、制御部３０ａは、十分に暖かい居室３への暖房を省くことができるため、省エネルギー性を向上させることができる。
【００５５】
このような室内温度制御システムは、床暖房装置１８、及び空調装置１９の各起動時刻Ｍ１、Ｍ２が、前記差（Ｐ１−Ｔ１）に基づいて設定されるため、起床時の居室３の温度を設定温度Ｐ１まで高めつつ、過暖房を抑制でき、起床時の居室３の快適性、及び省エネルギー性を向上しうる。
【００５６】
しかも、本実施形態では、床暖房装置１８とともに、空調装置１９が運転されるため、居室３の温度を、設定温度Ｐ１まで確実に高めることができる。なお、前記温度ｔ１〜ｔ５、及び前記起動時刻Ｍ１、Ｍ２は、上記数値に限定されるわけではなく、暖房能力や、居室３の床面積等に応じて適宜設定することができる。
【００５７】
次に、図８に示されるように、前記寝室温度制御工程Ｓ６では、先ず、制御部３０ａが、寝室の温度Ｔ３が予め定めた設定温度Ｐ３（本実施形態では、Ｐ３＝１８℃）よりも低いか否かを判断する（工程Ｓ６１）。なお、設定温度Ｐ３は、使用者等によって適宜変更することができる。
【００５８】
この工程Ｓ６１では、制御部３１ａが、寝室の温度Ｔ３が前記設定温度Ｐ３以上と判断した場合（工程Ｓ６１で、Ｔ３≧Ｐ３）、寝室４を暖める必要がないため、床下空気供給手段１７を停止して（工程Ｓ６４）、前記工程Ｓ１（図３に示す）にループバックする。
【００５９】
一方、制御部３０ａが、寝室の温度Ｔ３が前記設定温度Ｐ３よりも低いと判断した場合（工程Ｓ６１で、Ｔ３＜Ｐ３）、次の床下の温度Ｔ４を判断する（工程Ｓ６２）。
【００６０】
前記工程Ｓ６２では、制御部３０ａが、床下温度Ｔ４が予め定めた設定温度Ｐ４（本実施形態では、Ｐ４＝２０℃）以上か否かを判断する。なお、設定温度Ｐ４は、使用者等によって適宜変更することができる。
【００６１】
制御部３０ａが、床下温度Ｔ４が設定温度Ｐ４未満、即ち、加温空間２２の空気が十分に温まっていないと判断した場合（工程Ｓ６２で、Ｔ４＜Ｐ４）、該加温空間２２の空気を寝室４に供給しても、該寝室４を十分に暖房できないため、床下空気供給手段１７を停止して（工程Ｓ６２１）、前記工程Ｓ１（図３に示す）にループバックする。
【００６２】
一方、制御部３０ａが、床下温度Ｔ４が設定温度Ｐ４以上、即ち加温空間２２の空気が十分に温まっていると判断した場合（工程Ｓ６２で、Ｔ４≧Ｐ４）、次の床下空気供給手段１７を起動する（工程Ｓ６３）。
【００６３】
前記工程Ｓ６３では、床下空気供給手段１７を介して、床暖房装置１８によって温められた加温空間２２の空気（例えば、１００ｍ3／ｈ）分を、寝室４へと供給するように運転される。これにより、制御部３０ａは、寝室４の温度が低下しがちな起床前時間帯域Ｕ１（図４に示す）においても、暖かく快適な目覚めを実現させることができる。
【００６４】
以上、本発明の特に好ましい実施形態について詳述したが、本発明は図示の実施形態に限定されることなく、種々の態様に変形して実施しうる。特に、上記した設定温度や時間は、あくまで一例であり、本発明は、これらの具体的な態様に限定されるものではない。
【実施例】
【００６５】
図１に示される基本構造を有する建物を人口気象室の実験住宅に設置し、本実施形態の室内温度制御システムの性能が、実験によって評価された。
【００６６】
具体的には、下記条件のもとで、室内温度制御システムの処理手順に従って、床暖房装置、及び床下空気供給手段を運転させ、表１に示す起床前時間帯域Ｕ１の開始時刻（Ｈ１−α）の各温度、及び起床時刻Ｈ１における各温度が測定された。また、起床前時間帯域Ｕ１の開始時刻（Ｈ１−α）から起床時刻Ｈ１までの各温度の状態を図９に示した。なお、本実験は、床暖房装置による寝室の暖房効果を確認するものであり、居室の暖房に空調装置を併用していない。実験の各条件は次のとおりである。
・プラン（居室の床面積：３０．７８ｍ2、居室の床暖房装置に敷設率：４７％、
寝室の床面積：１６．０１ｍ2）
・工程Ｓ３：冬季と判断
・空調装置の運転：無し
・屋外の温度Ｔ５：１０℃
・設定温度：
居室の設定温度Ｐ１：２５℃
寝室の設定温度Ｐ３：１８℃
床下の設定温度Ｐ４：１６℃
図７のフローチャートにおける各設定温度ｔ１〜ｔ５：
ｔ１：１０．０℃
ｔ２：７．５℃
ｔ３：５．０℃
ｔ４：２．５℃
ｔ５：０．０℃
・設定時刻：
起床時刻Ｈ１：６時
就寝時刻Ｈ２：２３時
α：２時間
・起床時刻の居室の温度Ｔ１の予測：
時刻（Ｈ１−α）における居室の温度Ｔ２ａ：１５．４℃
時刻（Ｈ１−（α＋１））における居室の温度Ｔ２ｂ：１６．０℃
居室の温度の低下度（Ｔ２ｂ−Ｔ２ａ）：０．６℃
予測された起床時刻の居室の温度Ｔ１：１４．４℃
Ｐ１−Ｔ１：１０．６℃（≧ｔ１）
床暖房装置の起動時刻Ｍ１：起床時刻Ｈ１の２時間前
・寝室への床下空気の供給量：１００ｍ3／ｈ
【００６７】
【表１】
2013204985.tif 000003
【００６８】
実験の結果、実施例の床下空気供給手段は、寝室及び居室の温度を効果的に上昇させ、起床時の快適性を向上できることを確認できた。
【符号の説明】
【００６９】
１６      暖房装置
１８      床暖房装置
２６      居室温度検知手段
２９      屋外温度検知手段
３０      制御手段
３０ａ    制御部
【図１】
2013204985.tif 000004
【図２】
2013204985.tif 000005
【図３】
2013204985.tif 000006
【図４】
2013204985.tif 000007
【図５】
2013204985.tif 000008
【図６】
2013204985.tif 000009
【図７】
2013204985.tif 000010
【図８】
2013204985.tif 000011
【図９】
2013204985.tif 000012